(57)【要約】【課題】枠体に対する押縁部材の固定作業を容易に行うことのできる台形窓を提供する。【解決手段】上下枠１０、２０及び左右の縦枠３０、３０からなる枠材を台形状に枠組みした枠体１の内周面に押縁部材６を四周に渡って設け、押縁部材６を介してガラス３を納めた台形窓において、枠材のうち鋭角状に突き合わされる各枠材に設けられる押縁部材６は一方が勝った状態で納められ他方が負けた状態で納められると共に、負けた状態で納められる押縁部材６は２つに分割されてなる。また、２つに分割される押縁部材６は鋭角状に枠材を突き合わせる位置の近傍で分割されている。【選択図】  図１
2005029999.tif 000002
【特許請求の範囲】
【請求項１】
上下枠及び左右の縦枠からなる枠材を台形状に枠組みした枠体の内周面に押縁部材を四周に渡って設け、該押縁部材を介してガラスを納めた台形窓において、上記枠材のうち鋭角状に突き合わされる各枠材に設けられる押縁部材は一方が勝った状態で納められ他方が負けた状態で納められると共に、負けた状態で納められる押縁部材は２つに分割されてなることを特徴とする台形窓。
【請求項２】
上記上枠は長さの異なる上記左右の縦枠に対して斜めに突き合わせて台形状の枠体を構成し、上記上枠に設けられる押縁部材は上記縦枠に設けられる押縁部材に対して勝った状態で納められると共に、上記上枠に対して鋭角状に突き合わされる長い方の縦枠に納められる押縁部材は２つに分割されてなることを特徴とする請求項１記載の台形窓。
【請求項３】
上記２つに分割される押縁部材は鋭角状に上記枠材を突き合わせる位置の近傍で分割されていることを特徴とする請求項１または２記載の台形窓。
【発明の詳細な説明】
【０００１】
【発明の属する技術分野】
本発明は枠材を台形状に枠組みしてなる枠体にガラスを納めてなる台形窓に関し、特に枠体の内周面に押縁部材を介してガラスを押圧固定する台形窓に関する。
【０００２】
【従来の技術】
従来から、上下枠及び左右の縦枠のうち上枠を斜めに配設して台形状に枠組みして枠体を構成し、その枠体の内部にガラスを納めた台形窓が建物の窓として用いられている。ここで、枠材を枠組みしてなる枠体の内部にガラスを納めて固定するための方法として、押縁構造がある。この押縁構造は、枠体の内周面にガラスの室外側を保持する延出片を設け、一方ガラスの室内側には樹脂等からなる押縁部材を設けて、この押縁部材により水密材を介して枠体の見込方向にガラスを押圧固定する。この押縁部材は、枠体の四周に渡って設けられる。長方形状に枠組みした枠体における押縁構造としては、例えば特許文献１に示すようなものがある。
【０００３】
【特許文献１】
特開平１１−１０７６３３号公報（図８）
【０００４】
【発明が解決しようとする課題】
しかし、従来の台形窓においては、以下に述べる問題点を有していた。台形窓においては、４個所生じる各枠材の突き合わせ部分のうち、１個所は鋭角をなす。押縁部材は、枠体の見付方向内側から各枠材の内周面に向かって取付けられるものであり、鋭角状の突き合わせ部分においては、互いに当接する２つの押縁部材のうち一方はその取付けが困難となる。
【０００５】
例えば、上枠が斜めに配設された台形窓において、上下枠の押縁部材が縦枠の押縁部材に対して納まりが勝った状態で取付けられる場合、上下枠の押縁部材が先に取付けられ、縦枠の押縁部材はその後に取付けられる。上枠と一方の縦枠との突き合わせ部分は鋭角状となるので、一方の縦枠の押縁部材を枠体の見付方向内側から挿入して枠体に対して固定することは、極めて困難である。
【０００６】
本発明は、上記従来の問題点に鑑みてなされたものであり、枠体に対する押縁部材の固定作業を容易に行うことのできる台形窓を提供することを目的とする。
【０００７】
【課題を解決するための手段】
上記課題を解決するため、本発明に係る台形窓は、上下枠及び左右の縦枠からなる枠材を台形状に枠組みした枠体の内周面に押縁部材を四周に渡って設け、該押縁部材を介してガラスを納めた台形窓において、
上記枠材のうち鋭角状に突き合わされる各枠材に設けられる押縁部材は一方が勝った状態で納められ他方が負けた状態で納められると共に、負けた状態で納められる押縁部材は２つに分割されてなることを特徴として構成されている。
【０００８】
また、本発明に係る台形窓は、上記上枠は長さの異なる上記左右の縦枠に対して斜めに突き合わせて台形状の枠体を構成し、上記上枠に設けられる押縁部材は上記縦枠に設けられる押縁部材に対して勝った状態で納められると共に、上記上枠に対して鋭角状に突き合わされる長い方の縦枠に納められる押縁部材は２つに分割されてなることを特徴として構成されている。
【０００９】
さらに、本発明に係る台形窓は、上記２つに分割される押縁部材は鋭角状に上記枠材を突き合わせる位置の近傍で分割されていることを特徴として構成されている。
【００１０】
【発明の実施の形態】
本発明の実施の形態について、図面に沿って詳細に説明する。図１は本実施形態における台形窓の正面図であり、図２は本実施形態における台形窓の縦断面図、さらに図３は本実施形態における台形窓の横断面図である。これら各図において、本実施形態における台形窓は、上枠１０と下枠２０及び左右の縦枠３０、３０を上枠１０が傾斜するように台形状に枠組みして、押縁構造によりガラス３を納めたものであり、サッシ全体としては、金属枠４の室内側に樹脂枠５を配設した複合枠体１を方立２を介して横方向に連設したものである。
【００１１】
まず複合枠体１について説明する。図１のように、複合枠体１を構成する左右の縦枠３０、３０はそれぞれ長さが異なり、下端は同高さに配置して下枠２０は略水平に配設される。一方、上端はそれぞれ高さが異なるので、上枠１０は傾斜状に配設される。縦枠３０は略直立状に形成されており、上枠１０は縦枠３０に略適合するようにその両端面を傾斜状に形成している。すなわち、上枠１０は高さの異なる縦枠３０、３０間を懸架するように傾斜配置され、複合枠体１を台形状としている。
【００１２】
また、図２及び図３に示すように、複合枠体１を構成する上枠１０と下枠２０及び左右の縦枠３０、３０は、金属上枠１１の室内側露出部分に樹脂上枠１２を、金属下枠２１の室内側露出部分に樹脂下枠２２を、金属縦枠３１の室内側露出部分に樹脂縦枠３２を、それぞれ配設している。このように金属枠４の室内側露出部分に樹脂枠５を配設することにより、断熱性を高めることができると共に、デザインの統一性を図ることができて、意匠性を向上させることができる。金属枠４に対する樹脂枠５の固定は、各樹脂枠５に設けた係合部を金属枠４に係合固定させると共に、樹脂枠５から金属枠４に対するネジ止めを行うことによりなされる。これら金属枠４は、アルミの押出型材からなると共に、樹脂枠５は、塩化ビニルやアクリル樹脂等から成型される。
【００１３】
各樹脂枠５は、室内側に突出するアングル片を有しており、樹脂上枠１２にはその略全長に渡って上アングル片１４が、樹脂下枠２２にはその略全長に渡って下アングル片２４が、樹脂縦枠３２にはその略全長に渡って縦アングル片３４が、それぞれ形成されている。すなわち、上アングル片１４と下アングル片２４及び左右の縦アングル片３４、３４によって、樹脂枠５は略四周に渡って室内側に突出するアングル片を形成されている。各アングル片より見付方向外側には、図示しない化粧額縁が略四周に渡って設けられる。アングル片と化粧額縁とは、それぞれネジ止めにより固定される。
【００１４】
このように構成された各複合枠体１を横方向に連設する連結構造について説明する。本実施形態のサッシは、上枠１０を傾斜状に配置した台形窓を横方向に連結するもので、図１に示すように、次第に高さが低くなる３つの複合枠体１をそれぞれ方立２を介して連結している。方立２は、図３に示すように、互いに対向する縦枠３０間に設けられて、それぞれの縦枠３０を固定する。方立２は金属材からなり、上端付近と下端付近はそれぞれ切り欠いて形成される。また、その上端は傾斜配置される上枠１０に合わせて傾斜状に形成する。方立２は、その側面において縦枠３０を係合固定すると共に、室内側端部においてネジ止めにより縦枠３０を固定する。
【００１５】
方立２の室内側露出部分には、方立カバー７が設けられる。方立２に方立カバー７を取付けることにより、複合枠体１、１を室内側から見て略連続状とし、一体感を確保することができる。また、方立カバー７は、化粧額縁を取付けた場合に方立２が室内側に露出する上アングル片１４から下アングル片２４までの間に渡って設けられる。このため、方立カバー７の下端は下アングル片２４に略適合するように水平状に形成されている。一方、方立カバー７の上端は、傾斜した上アングル片１４の上面に略適合するように傾斜状に形成されている。このように形成することにより、サッシの一体感を確保することができる。
【００１６】
次に、台形窓に対するガラス３の固定構造について説明する。各複合枠体１に納められるガラス３は、押縁構造によって固定されている。図２及び図３に示すように、上枠１０は、ガラス３の室外側に見付方向内側に向かって突出する延出片１１ａを備えている。また、下枠２０は、ガラス３の室外側に見付方向内側に向かって突出する延出片２１ａを備えている。同様に縦枠３０は、ガラス３の室外側に見付方向内側に突出する延出片３１ａを備えている。そして、ガラス３の室内側には、上枠１０と下枠２０及び縦枠３０に対してそれぞれその長手方向略全長に渡って上押縁部材１３、下押縁部材２３、縦押縁部材３３、３３が設けられ、これら延出片と押縁部材により、ガラス３を挟持すると共に固定する。
【００１７】
各延出片には、その室内側面にそれぞれ長手方向略全長に渡って水密材８が設けられる。また、各押縁部材にも、室外側に向かってそれぞれ長手方向略全長に渡る水密材８が設けられる。ガラス３は、これら室内外の水密材８により押圧され、上記延出片と押縁部材による挟持がなされる。水密材８によりガラス３が押圧されていることにより、サッシに水密性や気密性を充分に持たせることができる。
【００１８】
各押縁部材は、以下のように複合枠体１に固定されている。ここでは、上枠１０に固定される上押縁部材１３について説明する。それ以外の下押縁部材２３や縦押縁部材３３についても、固定構造は同様である。図２に示すように、樹脂上枠１２には、その室外側端部付近に取付溝１２ａが形成されており、上押縁部材１３はその取付溝１２ａに挿入されると共に、係合固定される。押縁部材は挿入により複合枠体１に対して取付けられるので、その取付作業に際しては、複合枠体１の見付方向内側から各枠材の内周面に向かって挿入作業が行われる。
【００１９】
各押縁部材の複合枠体１における納まりは、図１に示すように斜め方向に配設される上押縁部材１３と横方向に配設される下押縁部材２３とは、勝った状態で納められており、一方、縦方向に配設される縦押縁部材３３、３３は、負けた状態で納められている。このように取付けるには、勝った状態で納める上押縁部材１３と下押縁部材２３とを先にそれぞれ樹脂上枠１２及び樹脂下枠２２に対して挿入固定し、その後に縦押縁部材３３、３３を樹脂縦枠３２、３２にそれぞれ挿入固定する。そして、上枠１０と縦枠３０の鋭角状に突き合わされる角部に取付けられる縦押縁部材３３については、それが一体的に形成されている場合には、複合枠体１の見付方向内側からの挿入は極めて困難であるため、本発明ではこれを２つに分割してそれぞれ樹脂縦枠３２に挿入固定している。
【００２０】
図４には、台形窓の鋭角状の角部の拡大図を示す。縦押縁部材３３は鋭角状の角部近傍において２つに分割される。本実施形態のように、上枠１０を傾斜配置して台形窓を構成している場合には、長さの異なる２つの縦枠３０、３０のうち、長い方の縦枠３０と上枠１０との突き合わせ部分が鋭角状の角部となる。その角部近傍の縦枠３０に鋭角部用押縁部材３３ａが配置される。残りの縦枠３０には、通常の縦押縁部材３３が配置される。
【００２１】
図５には、台形窓における押縁部材の取付図を示す。この図の状態では、上押縁部材１３及び下押縁部材２３は既に取付けられている。鋭角状の角部を有する縦枠３０には、まず鋭角状の角部近傍に対して鋭角部用押縁部材３３ａが複合枠体１の見付方向内側から挿入される。鋭角部用押縁部材３３ａの取付時には、鋭角状の角部からやや離れた位置に挿入し、その後角部に向かって移動させ固定する。複合枠体１における鋭角状の角部近傍にて縦押縁部材３３を分割していることにより、これらの固定作業を容易に行うことができる。鋭角部用押縁部材３３ａを挿入固定したら、それ以外の部分に対して縦押縁部材３３を複合枠体１の見付方向内側から挿入固定する。また、もう一方の縦枠３０に対しては、一体的な縦押縁部材３３を複合枠体１の見付方向内側から容易に挿入することができる。
【００２２】
これまで本発明の実施形態について説明したが、本発明の適用はこれに限られず、その技術的思想の範囲内において様々に適用されるものである。例えば、本実施形態では、複数の複合枠体１を横方向に連設した組合せ窓に本発明を適用したものを示したが、単体の台形窓についても適用できることはもちろんである。また、金属枠４の室内側に樹脂枠５を配設した複合窓枠ではなく、金属のみからなる枠体においても、押縁構造を採用する台形窓であれば本発明を適用することができる。さらに、上枠１０が傾斜配置された台形窓のみならず、他の枠材が傾斜配置された台形窓についても、本発明を適用することができる。
【００２３】
【発明の効果】
以上のように、本発明に係る台形窓によれば、台形窓の枠材のうち鋭角状に突き合わされる各枠材に設けられる押縁部材であって負けた状態で納められる押縁部材は２つに分割されてなることにより、台形窓における鋭角状の角部に容易に押縁部材を挿入固定することができる。
【００２４】
また、本発明に係る台形窓によれば、上枠は長さの異なる左右の縦枠に対して斜めに突き合わせて台形状の枠体を構成し、上枠に対して鋭角状に突き合わされる長い方の縦枠に納められる押縁部材は２つに分割されてなることにより、上枠を傾斜配置した台形窓において、押縁部材を容易に挿入固定することができる。
【００２５】
さらに、本発明に係る台形窓によれば、２つに分割される押縁部材は鋭角状に枠材を突き合わせる位置の近傍で分割されていることにより、鋭角状の角部に設けられる押縁部材の取付作業を容易にすることができる。
【図面の簡単な説明】
【図１】本実施形態における台形窓の正面図である。
【図２】本実施形態における台形窓の縦断面図である。
【図３】本実施形態における台形窓の横断面図である。
【図４】本実施形態における台形窓の鋭角状の角部の拡大図である。
【図５】本実施形態の台形窓における押縁部材の取付図である。
【符号の説明】
１      複合枠体
２      方立
３      ガラス
４      金属枠
５      樹脂枠
６      押縁部材
７      方立カバー
１０      上枠
１１      金属上枠
１１ａ    延出片
１２      樹脂上枠
１３      上押縁部材
１４      上アングル片
２０      下枠
２１      金属下枠
２１ａ    延出片
２２      樹脂下枠
２３      下押縁部材
２４      下アングル片
３０      縦枠
３１      金属縦枠
３１ａ    延出片
３２      樹脂縦枠
３３      縦押縁部材
３３ａ    鋭角部用押縁部材
３４      縦アングル片
【図１】
2005029999.tif 000003
【図２】
2005029999.tif 000004
【図３】
2005029999.tif 000005
【図４】
2005029999.tif 000006
【図５】
2005029999.tif 000007